(57)【要約】【課題】  景品を懸吊する態様の景品取得ゲーム機において、景品を懸吊するのに必要な部材を繰り返し再利用可能にすることができる景品取得ゲーム機を提供することにある。【解決手段】  開状態閉状態との間での移行が可能な１対の挟持片２１ａ、２１ｂと、挟持片を閉状態に付勢する付勢手段２１ｃとを有する係止部材２１であって、挟持片は、閉状態のときに１対の挟持片の間に所定サイズの係止孔Ｈ１を形成する切欠を有し、挟持片を相互に離間させる方向への外力が加わった際に、挟持片が離間して係止孔のサイズが拡大するよう構成され、下端側に物品を懸吊した長尺の物品吊るし部材２２ｄを係止孔において係止可能な係止部材を備える物品懸吊部材２０又はこれを備える景品取得ゲーム機１において、物品吊るし部材が下方に牽引された場合には、挟持片が相互に離間して係止孔のサイズが拡大し、物品吊るし部材が下方へ移動可能となるように構成する。【選択図】  図４
2010042055.tif 000002
【特許請求の範囲】
【請求項１】
相互に離間した開状態と、相互に当接又は近接した閉状態との間での移行が可能な１対の挟持片と、
前記挟持片を閉状態に付勢する付勢手段とを有する係止部材であって、
前記挟持片は、閉状態のときに前記１対の挟持片の間に所定サイズの係止孔を形成する切欠を有し、
前記挟持片を相互に離間させる方向への外力が加わった際に、前記挟持片が離間して前記係止孔のサイズが拡大するよう構成され、
下端側に物品を懸吊した長尺状の物品吊るし部材を前記係止孔において係止可能な前記係止部材を備え、
前記物品吊るし部材が牽引された場合には、前記挟持片が相互に離間して前記係止孔のサイズが拡大し、前記物品吊るし部材が下方へ移動可能となることを特徴とする物品懸吊部材。
【請求項２】
前記係止部材を景品取得ゲーム機内に据え付けられた棚部材に固定するための固定手段を更に備えることを特徴とする請求項１に記載の物品懸吊部材。
【請求項３】
前記係止孔よりも上端側において前記物品吊るし部材を傾斜した状態で保持する傾斜保持部を更に備えることを特徴とする請求項１又は２に記載の物品懸吊部材。
【請求項４】
長尺状の物品吊るし部材、及び、前記物品吊るし部材の下端側に取り付けられた物品を係合して懸吊するフック部を有するフック部材と、
前記フック部材と前記係止部材とを連索する連索部材とを更に備えることを特徴とする請求項１〜３のいずれか一項に記載の物品懸吊部材。
【請求項５】
前記フック部が前記物品吊るし部材に対して回転可能に取り付けられており、
前記フック部材が、前記フック部の回転角度を調節する角度調整機構を介して前記連索部材に取り付けられていることを特徴とする請求項４に記載の物品懸吊部材。
【請求項６】
前記フック部の基端部に、前記フック部よりも幅広の台座が形成されており、前記フック部は、前記台座において物品を係合することを特徴とする請求項４又は５に記載の物品懸吊部材。
【請求項７】
前記物品吊るし部材は、前記挟持片が閉状態のときの前記係止孔よりも大きい外径を有する一列に配列された複数のボールと、隣接する前記ボールを連結する前記ボールよりも小径のリンク部材により構成されるボールチェーン、又は、前記挟持片が閉状態のときの前記係止孔よりも大きい外径を有し、外周からの外力により縮径可能な紐状部材であることを特徴とする請求項１〜６に記載の物品懸吊部材。
【請求項８】
請求項１〜７のいずれか一項に記載の物品懸吊部材を備えることを特徴とする景品取得ゲーム機。
【発明の詳細な説明】
【技術分野】
【０００１】
本発明は、遊技者により移動操作される係止解除部材の牽引動作によりゲーム機内で懸吊されている景品（物品）が落下して払い出されるようにされた景品取得ゲーム機に関し、より詳細には、景品を懸吊又は係止するのに必要な部材を繰り返し再利用可能にした景品取得ゲーム機及び物品懸吊部材に関する。
【背景技術】
【０００２】
従来、アミューズメント施設に設置され、遊技者により移動操作される係止解除部材の下降動作によりゲーム機内で懸吊されている景品が落下して払い出されるようにされた景品取得ゲーム機が知られている（例えば、特許文献１、２参照）。
【０００３】
上記特許文献１、２の景品取得ゲーム機では、ボールチェーンのボールを係止できるサイズの係止孔が形成された弾性材料製の係止片（「チップ」とも呼ばれる）が棚部材の円錐溝に嵌合され、当該係止孔において係止されたボールチェーンにより景品が懸吊されており、係止解除部材によってボールチェーンを下方に引っ張ることでボールチェーンのボールが順次係止孔を通過し、最後のボール（最上端のボール）が係止孔を抜けた場合には、当該ボールチェーンに懸吊された景品が落下して景品払出口から払い出されるようになっている。
【０００４】
しかしながら、上記景品取得ゲーム機では、使用するうちに係止片の係止孔が変形により広がってしまい、係止力が低下するため、ごく短期間毎に交換することが必要であり、係止片の購入費用や交換のための作業コストなどが嵩む問題がある。
【０００５】
また、上述のように景品が落下した場合には、景品を係止していた係止片が自身の弾性復帰力により跳ね上がり、ゲーム空間や景品払出口に散乱してしまう問題がある。
【０００６】
即ち、上記景品取得ゲーム機では、散乱した係止片によってゲーム空間や景品払出口内、設置施設等の景観を損なう問題点があるとともに、ゲーム空間に散乱した係止片によって係止解除部材などの機械部品が故障するなどの問題点があり、また、散乱した係止片を回収するなどのスタッフの負担が増加する問題点があった。更に、散乱した係止片は紛失したり、景品とともに遊技者に持って帰られてしまうことから、係止片の補充のためのコストが嵩む問題があった。
【０００７】
また、上記景品取得ゲーム機においては、リング状のボールチェーンに取り付けられた景品（以下、一般景品という）であれば、ジョイントやコネクタなどと呼ばれる連結部材の部分でリング状態を解除したボールチェーンを上記係止片の係止孔に係止して景品を吊り下げることが可能であるが、それ以外の景品では、たとえ、紐や金属製のリングが取り付けられ、或いは、ぶら下げるための孔が形成された箱や袋などで包装された景品（以下、特定景品という）であっても、そのままでは上記景品取得ゲーム機に懸吊することはできない。
【０００８】
このため、上述のような特定景品を使用したい場合には、ボールチェーンを部品として購入し、そのボールチェーンを上記紐や金属製のリング、包装に形成された孔などに取り付ける作業を行うことが必要であり、これによっても、スタッフの負担が増加するとともに、ランニングコストが増加してしまうなどの問題点がある。
【０００９】
また、最近では、上述のような特定景品などにも対応できる景品取得ゲーム機が提供されている。
【００１０】
具体的には、この景品取得ゲーム機では、図１７に示すように、下降する係止解除部材のフォークと係合する円盤部２０１と、当該円盤部２０１の下方側に形成され、上記一般景品のリング状態のボールチェーンＢＣ、或いは、上記特定景品の金属製のリングＲや紐（不図示）、或いは、景品の包装等に形成された孔Ｈなどに係合して懸吊することができるフック部２０２と、上記円盤部２０１の上方側で円中心から上方に垂設されたボールチェーン２０３とが一体的に形成された合成樹脂製のフック部材２００と、上述の係止片と同様の係止片３００とを利用して上記一般景品ＧＡ及び特定景品ＧＢを棚部材１００で懸吊する形態となっている。
【００１１】
この形態によれば、上記ボールチェーンと特定景品との取り付け作業をせずとも特定景品ＧＢを棚部材１００に吊り下げることができるので、ボールチェーンの購入費用を削減できるとともに、ボールチェーンと景品との取り付け作業に係るスタッフの負担が軽減できる。
【００１２】
しかしながら、この景品取得ゲーム機では、使用するうちに係止片３００の係止力が低下するために定期的に係止片３００を交換することが必要であり、景品が落下した際に係止片３００が散乱するなど、特許文献１、２の景品取得ゲーム機について上記した問題を解決することはできない。
【００１３】
更に、この景品取得ゲーム機では、一般景品ＧＡや特定景品ＧＢが落下すると同時にフック部材２００も落下するため、落下したフック部材２００によってゲーム空間や景品払出口が散らかって景観を損ねる問題があるとともに、落下したフック部材２００を回収するなどのスタッフの負担が増加する問題がある。
【００１４】
また、落下したフック部材２００は紛失したり、一般景品ＧＡや特定景品ＧＢとともに遊技者に持って帰られてしまうなど、使い捨て要素が高く、フック部材２００の補充のために一層コストが増大する問題がある。
【００１５】
更に、上記フック部材２００は、上述のように使い捨て要素が高いため、製造コストを抑える目的でフック部２０２の鉤先端の長さが短くなっており、これにより、ただ単に一般景品ＧＡのボールチェーンＢＣや特定景品ＧＢの金属製のリングＲ、紐、孔Ｈ等をフック部２０２に係合させるだけでは、上述の係止解除部材が触れた程度の揺れで一般景品ＧＡや特定景品ＧＢが落下してしまう虞があることから、施設側では、接着テープＡＴなどでボールチェーンＢＣや金属製のリングＲ、紐、孔Ｈ等とフック部２０２とを固定する作業が必要となり、これによってもスタッフの負担が増加する問題がある。
【特許文献１】特許第３６７５５６６号公報
【特許文献２】特許第３８９９５４８号公報
【発明の開示】
【発明が解決しようとする課題】
【００１６】
本発明は、上記の問題に鑑みてなされたものであり、下記のいずれか一以上の目的を達成するものである。
【００１７】
即ち、本発明の目的は、景品（物品）を懸吊する態様の景品取得ゲーム機において、景品を懸吊又は係止するための部材を繰り返し再利用可能にすることができる景品取得ゲーム機及び物品懸吊部材を提供することにある。
【００１８】
本発明の他の目的は、景品を懸吊するための物品吊るし部材に対する係止力の低下を防止又は抑止することができ、より長期間に渡って使用することが可能な係止部材を有する景品取得ゲーム機及び物品懸吊部材を提供することにある。
【００１９】
本発明の更に他の目的は、景品が落下した場合に物品吊るし部材を係止していた係止部材、或いは、景品を懸吊していた物品吊るし部材、フック部材等が散乱してしまうことを防止することができる景品取得ゲーム機及びその物品懸吊部材を提供することにある。
【００２０】
本発明の更に他の目的は、景品を意図した角度で安定して吊り下げることができる景品取得ゲーム機及びその物品懸吊部材を提供することにある。
【課題を解決するための手段】
【００２１】
本発明は、上記課題を解決したものであり、
相互に離間した開状態と、相互に当接又は近接した閉状態との間での移行が可能な１対の挟持片と、
前記挟持片を閉状態に付勢する付勢手段とを有する係止部材であって、
前記挟持片は、閉状態のときに前記１対の挟持片の間に所定サイズの係止孔を形成する切欠を有し、
前記挟持片を相互に離間させる方向への外力が加わった際に、前記挟持片が離間して前記係止孔のサイズが拡大するよう構成され、
下端側に物品を懸吊した長尺状の物品吊るし部材を前記係止孔において係止可能な前記係止部材を備え、
前記物品吊るし部材が牽引された場合には、前記挟持片が相互に離間して前記係止孔のサイズが拡大し、前記物品吊るし部材が下方へ移動可能となることを特徴とする物品懸吊部材（請求項１）である。
【００２２】
本発明の物品懸吊部材では、従来の係止片と同様に、下端側に物品（景品）を懸吊した長尺状の物品吊るし部材を係止部材に形成される所定サイズの係止孔において係止することが可能である。
【００２３】
そして、景品取得ゲーム機における係止解除部材などにより物品吊るし部材が下方などに牽引された場合には、付勢手段による付勢力に抗して挟持片が相互に離間し、係止孔のサイズを拡大することで物品吊るし部材が下方に移動可能となり、物品吊るし部材への牽引が無くなると、付勢手段による付勢力によって係止孔のサイズは当初のサイズ（挟持片が閉状態のときのサイズ）に復帰することになる。
【００２４】
このように、本発明では、挟持片が閉状態のときの係止孔のサイズは付勢手段の付勢力によって一定に維持されるため、長期間の使用による係止孔の係止力の低下をより小さくすることが可能である。
【００２５】
なお、本発明では、物品吊るし部材が下方に牽引されたときに係止片を開方向に付勢する力が作用することが必要であることから、本発明の物品懸吊部材に使用する物品吊るし部材としては、一対の挟持片が閉状態のときの係止孔よりも大きい外径を有する複数の凸部（球、円柱や四角柱などの立体状の凸部材）と、隣接する２つの凸部間に配置され凸部よりも小さい外径を有する凹部（複数の凸部が取り付けられる紐状部材の一部分や、２つの凸部間を連結する円柱状のリンクなどの凹部材）などから構成されるボールチェーン状部材や、挟持片が閉状態のときの係止孔よりも大きい外径を有する紐状部材であって、外周からの外力により縮径可能な紐状部材を好適に使用することができる。
【００２６】
具体的には、上記ボールチェーン状部材としては、一般的に良く知られている金属製や樹脂製のボールチェーンを使用することができるのはもちろんのこと、それ以外の形状を有する長尺状の部材であって、上記凸部及び上記凹部を有する長尺状の部材も使用することができる。
【００２７】
本発明では、前記係止部材を景品取得ゲーム機内に据え付けられた棚部材に固定するための固定手段を更に備えること（請求項２）が好ましい。
【００２８】
本発明では、係止部材による物品吊るし部材の係止が解除されて物品が落下した場合における係止部材の散乱を防ぐことが可能である。
【００２９】
そのため、ゲーム機内のゲーム空間や景品払出口が係止部材で散らかってしまうことや、散乱した係止部材による故障等が防止でき、散乱した係止部材の回収や再装着に掛かる作業負荷を軽減でき、或いは、景品取出口に落下した係止部材を遊技者に持ち帰られてしまうなどの不都合を防止することができる。
【００３０】
本発明では、前記係止孔よりも上端側において前記物品吊るし部材を傾斜した状態で保持する傾斜保持部を更に備えること（請求項３）が好ましい。
【００３１】
かかる発明では、物品吊るし部材の係止孔による係止位置よりも下方部分に対して、当該係止位置よりも上方部分の物品吊るし部材を傾斜させた状態で、或いは、更に屈曲させた状態で保持することにより、物品吊るし部材が回転しない状態、或いは、回転が抑制された状態とすることが可能である。
【００３２】
このため、物品を好みの方向に向けた状態で係止部材に物品吊るし部材を係止し、そのまま、係止孔よりも上端側において物品吊るし部材を傾斜保持することにより、懸吊された物品が上記好みの方向から回転してしまうことを防止することが可能である。
【００３３】
従って、物品の方向をアイキャッチが良いと思う方向に向けて吊り下げた状態を安定に保つことが可能であり、更には、物品吊るし部材の傾斜角度や保持の強さなどを調節することにより、係止解除部材が物品に当接する程度では物品の方向が変わらないようにすることも可能である。
【００３４】
本発明では、長尺状の物品吊るし部材、及び、前記物品吊るし部材の下端側に取り付けられた物品を係合して懸吊するフック部を有するフック部材と、前記フック部材と前記係止部材とを連索する連索部材とを更に備えること（請求項４）が好ましい。
【００３５】
本発明では、物品を係合して（引っ掛けて）懸吊するフック部を有するフック部材が物品吊るし部材に取り付けられているため、金属製のリングや紐が取り付けられた物品、或いは、孔が形成された箱等に包装された物品を、特別な作業を行わなくても容易に懸吊することが可能である。
【００３６】
また、本発明では、フック部材と係止部材とが連索部材により連索され、いわゆる紐付きの状態になっているため、両者を一体に扱うことが可能であり、取り扱い性を向上させることが可能である。
【００３７】
特に、本発明における係止部材が請求項２の固定手段により景品取得ゲーム機の棚部材に固定されている場合には、係止部材による物品吊るし部材の係止が解除された場合には、フック部材に懸吊されていた物品のみが落下し、固定手段により棚部材に固定された係止部材、及び、連索部材により係止部材に連索されたフック部材が物品とともに落下してしまうことが防止でき、従って、落下したこれらの部材が紛失し、或いは、遊技者に持ち帰られてしまうなどを防止することが可能である。
【００３８】
本発明では、前記フック部が前記物品吊るし部材に対して回転可能に取り付けられており、前記フック部材が、前記フック部の回転角度を調節する角度調整機構を介して前記連索部材に取り付けられていること（請求項５）が好ましい。
【００３９】
かかる発明では、フック部の回転角度を調節することで、物品懸吊部材に吊り下げられた物品の方向を調節することが可能である。従って、物品を吊り下げたままの状態で物品の方向を調節することが可能となり、物品の吊り下げ作業を一層容易化することが可能である。
【００４０】
本発明では、前記フック部の基端部に、前記フック部よりも幅広の台座が形成されており、前記フック部は、前記台座において物品を係合すること（請求項６）が好ましい。
【００４１】
物品によっては、ジョイントやコネクタなどと呼ばれる連結部材によってリング状にされたボールチェーンが取り付けられている場合があり、そのような物品は本発明のフック部にリング状のボールチェーンを係合することで好適に懸吊することが可能である。しかし、フック部は比較的小径（連結部材の長さよりも小径）の部材で構成されるため、ボールチェーンが連結部材の部分でフック部に係合した場合には、連結部材からボールチェーンが外れ、それによって物品が落下してしまう可能性がある。
【００４２】
本発明では、フック部の基端部に設けられたフック部よりも幅広の台座において物品を係合するよう構成されているため、仮に上記のようなボールチェーンが連結部材の部分で係合した場合でも、連結部材からボールチェーンが外れてしまう可能性を小さくすることが可能である。
【００４３】
本発明の物品懸吊部材は、物品（景品）を懸吊した状態で物品吊るし部材を係止し、遊技者により移動操作される係止解除部材の下方或いは前方などの所定の方向への牽引動作により物品吊るし部材の係止が解除された場合に物品が落下して所定の景品払出口から払い出される景品取得ゲーム機に特に好適に適用することが可能である。
【発明を実施するための最良の形態】
【００４４】
以下、本発明の好ましい実施形態を添付図面に基づいて説明する。
【００４５】
図１は、本発明を適用した景品取得ゲーム機１の外観構成を示す図である。この景品取得ゲーム機１は、後述の主制御基板８０などが収容されるゲーム機本体部２と、小型景品Ｇ１や中型景品Ｇ２などの種々の景品（「プライズ」ともいう）が懸吊されて複数個配置され、景品取得ゲームを実施するためのゲーム空間Ｒが形成される景品室３とを主体に構成される。
【００４６】
なお、本実施形態の景品取得ゲーム機１では、例えば、上記小型景品Ｇ１には、高さが１７（ｃｍ）で直径が６（ｃｍ）程度のサイズ内で且つ重量が１００ｇ未満の景品が採用され、具体的には、上記景品としては、例えば、包装／否包装の「小型のぬいぐるみ」や「小型の人形」などに備え付けられたボールチェーン、リング、紐等、或いは、包装台紙などに形成された孔などを介して懸吊されるキーホルダー式の景品がある。
【００４７】
また、上記中型景品Ｇ２には、高さが２５（ｃｍ）で幅が１５（ｃｍ）で奥行きが１５（ｃｍ）程度のサイズ内で且つ重量が１００ｇ以上の箱型景品や、高さが３５（ｃｍ）で幅が３０（ｃｍ）で奥行きが１５（ｃｍ）程度のサイズ内で且つ重量が１００ｇ以上のぬいぐるみ景品などが採用され、具体的には、上記景品としては、例えば、包装／否包装の「中型のぬいぐるみ」や「中型の人形」などに備え付けられたボールチェーンや紐、或いは、包装箱などに形成された孔などを介して懸吊される据え置き式或いは抱っこ式の景品がある。
【００４８】
ここで、景品室３の室壁は、例えば、背面壁３ａ及び左右壁３ｂが不透明な金属などの板部材で形成され、正面壁３ｃが、外部から景品室３内の小型景品Ｇ１、中型景品Ｇ２を視認できるように透明なアクリル或いはガラスなどの板部材で形成された錠前部材付きの２つの引き戸で形成されている。
【００４９】
また、景品室３の内部には、小型景品Ｇ１、中型景品Ｇ２が懸吊される複数の棚部材４（図２参照）と、それら複数の棚部材４が取り付けられる棚取付壁５（１Ｐ及び２Ｐ用別にそれぞれ１つずつの計２つ）（図２参照）と、棚部材４から景品を落下させるために用いられる係止解除部材６と、落下した小型景品Ｇ１、中型景品Ｇ２を室内から外部に排出させるための景品落下口７と、ゲーム空間Ｒをライトアップさせるための蛍光灯などの照明装置８とが備えられている。
【００５０】
なお、図２に示されるように、１つの棚取付壁５には、横一列に最大３つの棚部材４が配置でき、更に、縦方向において任意の高さ位置に、且つ、複数の棚部材４を配置できるように、棚部材４の背面側に形成された係合片４３を係合して棚部材４を当該棚取付壁５に係止するための係合孔５１が複数形成されている。
【００５１】
これにより、当該景品取得ゲーム機１が導入されるアミューズメント施設においては、小型景品Ｇ１、中型景品Ｇ２をその大きさに関わらず種々のレイアウトにより配置することが可能である。例えば、図２に示されるように、左側（１Ｐ側）の棚取付壁５には、小型景品Ｇ１が懸吊された棚部材４のみを配置し、他方、右側（２Ｐ側）の棚取付壁５には、中型景品Ｇ２が懸吊された棚部材４のみを配置することができる。左側（１Ｐ側）の棚取付壁５は小型景品Ｇ１のみを懸吊するため、中型景品Ｇ２のみを配置した右側（２Ｐ側）の棚取付壁５に比して各棚部材４の縦方向の間隔が狭くなるように配置されている。また、図示していないが、一つの棚取付壁５において棚部材４の配置間隔を変えることで、小型景品Ｇ１が懸吊された棚部材４と、中型景品Ｇ２が懸吊された棚部材４の両者を混在させた状態で配置することもできるし、更には、一つの棚取付壁５において、各棚部材４が斜めに位置するように配置することもできる。
【００５２】
ゲーム機本体部２は、その正面側に、遊技者からの操作入力を受け付け、係止解除部材６をゲーム空間Ｒ内で移動操作するための上昇ボタン９ａ、横走行ボタン９ｂを備えた操作パネル９と、ゲーム料金を受け入れるための硬貨投入口１０と、景品落下口７と連通した景品払出口１１と、ＢＧＭなどのゲーム音声を出力するためのスピーカ１２とを有している。また、ゲーム機本体部２の収容扉１３内には係止解除部材６の動作条件を設定し、難易度の調整を行うための不図示の設定パネルが収容されている。
【００５３】
なお、図示の例では、二人の遊技者が同時にプレイできるように、係止解除部材６、景品落下口７、操作パネル９、硬貨投入口１０、景品払出口１１等が左右にそれぞれ２組設けられている形態を示しているが、一人用或いは三人以上用の景品取得ゲーム機とする場合は、これらを１組又は３組以上としても構わない。
【００５４】
図３は、図２に示される棚部材４の構成を示す説明図であり、図３（ａ）、（ｃ）には、それぞれ、棚部材４を上方、下方から見た斜視図が示されており、図３（ｂ）には、第１装着部４１の拡大斜視図が示されている。
【００５５】
図３（ａ）、（ｃ）に示されるように、棚部材４は、小型景品Ｇ１を棚部材４で懸吊する後述の第１物品懸吊部材２０（図４参照）が着脱自在に装着される複数の第１装着部４１と、中型景品Ｇ２を懸吊する後述の第２物品懸吊部材３０（図７参照）が着脱自在に装着される複数の第２装着部４２と、棚取付壁５に形成された係合孔５１と係合して当該棚部材４を棚取付壁５に取り付けるための係合片４３と、ストック用或いは展示用の小型景品Ｇ１、中型景品Ｇ２等を載置するためのトレー部４４とを主体に形成され、第１装着部４１と連設する前方上面Ｆ１が前方に向って下向きに傾斜した態様の棚状部材である。なお、棚部材４は、例えば、合成樹脂などで成型することができる。
【００５６】
そして図３（ｂ）に示されるように、第１装着部４１には、後述の第１物品懸吊部材２０の係止部材２１の係合片２１４を嵌合して横（左右）方向の移動を規制する規制溝４１ａと、係止部材２１の係合爪２１５が嵌装される嵌装孔４１ｂと、係止部材２１の規制溝２１２に嵌合して係止部材２１の縦（上下）方向の移動を規制する係合片４１ｃなどを有する係止部材２１を収容することができる収容空間４１ｄが形成され、当該収容空間４１ｄの斜め上方には、物品吊るし部材である後述のボールチェーン２２ｄの上端側を収容して位置決めするチェーン溝４１ｅが形成されている。
【００５７】
また、第２装着部４２は、棚部材４の裏面側で縦（上下）方向に垂設された係合板４５に形成され、後述の第２物品懸吊部材３０の係合爪３１ａが嵌装される嵌装孔４２ａと、棚部材４の背面板４６に穿設され、第２物品懸吊部材３０の懸吊部材３４の解放端側の所定長を挿通支持する支持孔４２ｂなどから構成される。
【００５８】
また、本実施形態の棚部材４は、トレー部４４の空間を覆い隠す態様で着脱自在に装着される透明又は不透明な部材であり、上段側に配置された棚部材４から落下した景品（特に、中型景品Ｇ２）を、上記第１装着部４１が形成された上述の前方上面Ｆ１との間で前方へ滑り落とすための傾斜を有する傾斜面Ｆ２が形成された滑り台状のスロープ部材ＳＬ（図２参照）が着脱自在に装着される。なお、スロープ部材ＳＬを透明な部材で形成することによりトレー部４４に載置された小型景品Ｇ１などを展示することができる。
【００５９】
上記スロープ部材ＳＬを装着した棚部材４であれば、上段側の棚部材４から落下した中型景品Ｇ２が自身のトレー部４４に入り込むのを阻止でき、落下してきた中型景品Ｇ２を前方上面Ｆ１及び傾斜面Ｆ２上で滑動させて景品落下口７に落下させることができる。
【００６０】
図４は、第１物品懸吊部材２０の構成を示す説明図であり、図４（ａ）には、後述の係止部材２１によってフック部材２２に設けられたボールチェーン２２ｄが係止されている状態の第１物品懸吊部材２０が、図４（ｂ）には、係止部材２１によるボールチェーン２２ｄの係止が解除された状態の第１物品懸吊部材２０が示されている。
【００６１】
図４に示されるように、第１物品懸吊部材２０は、第１装着部４１に着脱自在に装着されてボールチェーン２２ｄを任意の位置で係止することが可能な係止部材２１と、小型景品Ｇ１を懸吊できるフック部材２２と、係止部材２１とフック部材２２とを連索する繊維や軟質プラスチックなどで形成された紐状の連索部材２３とを主体に構成される。
【００６２】
ここで、フック部材２２は、本体壁部２２ａと、その本体壁部２２ａの前方側に突起する鉤状に折り曲げられた円柱形状のフック部２２ｂと、本体壁部２２ａの上方側に形成され、係止解除部材６のフォーク部材６１と係合する円盤部２２ｃと、円盤部２２ｃに一端が固定され、その上端側を上方に突出した態様で係止部材２１の係止孔Ｈ１に挿通されて係止されるボールチェーン２２ｄとを主体に構成されている。なお、このフック部材２２は、例えば、合成樹脂などで成型することができる。
【００６３】
図５は、係止部材２１の構成を示す説明図であり、図５（ａ）、（ｂ）には、係止部材２１を上方、下方から見た場合のそれぞれの分解斜視図が、図５（ｃ）、（ｄ）には、挟持片２１ａ、２１ｂが互いに接近（又は当接）した閉状態、及び、挟持片２１ａ、２１ｂが離間した開状態の係止部材２１を上方から見た場合の平面図が示されている。
【００６４】
図５（ａ）、（ｂ）に示されるように、係止部材２１は、ヒンジ部Ｈｇを基点として開放口Ｏ側を離間させる態様で選択バサミ式に開閉自在とされた左右一対の挟持片２１ａ、２１ｂと、挟持片２１ａ、２１ｂを相互に接近させる閉方向に付勢する金属製バネなどの付勢部材２１ｃとを主体に構成されている。なお、左右一対の挟持片２１ａ、２１ｂは、例えば、合成樹脂などで成型することができる。
【００６５】
上記挟持片２１ａは、挟持片２１ｂに向かい合う辺上に切欠２１１を有しており、上記挟持片２１ｂは、挟持片２１ａに向かい合う辺上に切欠（不図示）を有しており、挟持片２１ａ、２１ｂが相互に接近した閉状態（図５（ｃ））では、上記２つの切欠により所定サイズの係止孔Ｈ１が形成されるようになっている。
【００６６】
係止孔Ｈ１は、挟持片２１ａ、２１ｂが相互に接近した閉状態（図５（ｃ））において、ボールチェーン２２ｄのボールよりも小さいサイズであり、開放口Ｏ側からボールチェーン２２ｄを挿入し、ボールを係止孔Ｈ１に係止させる態様でボールチェーン２２ｄを保持することが可能である。
【００６７】
また、ボールチェーン２２ｄに対して係止解除部材６などによる下方向への牽引力が作用すると、係止孔Ｈ１のサイズより大きいボールが通過しようとするために挟持片２１ａ、２１ｂを相互に離間させる方向の力が作用することとなり、これにより係止部材２１は、図５（ｄ）に示すように、挟持片２１ａ、２１ｂが相互に離間した開状態となる。
【００６８】
開状態では、係止孔Ｈ１のサイズが閉状態のときよりも大きくなるために、ボールは容易に係止孔Ｈ１を通過できることになる。従って、ボールチェーン２２ｄに下方向への牽引力を掛け続けることで、ボールチェーン２２ｄの全体を係止孔Ｈ１から引き抜き、係止部材２１による係止を解除することが可能である。
【００６９】
なお、挟持片２１ａ、２１ｂの上面には、係止孔Ｈ１から上方に突出したボールチェーン２２ｄの回転や曲げを許容するようすり鉢状の形状が与えられている。
【００７０】
また、挟持片２１ａ、２１ｂには、棚部材４の係合片４１ｃが嵌合する規制溝２１２、付勢部材２１ｃが嵌合する嵌合溝２１３、棚部材４の規制溝４１ａに嵌合する係合片２１４、棚部材４の嵌装孔４１ｂに嵌装される係合爪２１５が形成されており、挟持片２１ｂの上面には、係止孔Ｈ１から上方に突出したボールチェーン２２ｄを傾斜した状態で固定乃至保持し、チェーン溝４１ｅに案内するための傾斜保持部材２１６が突設されている。
【００７１】
なお、上記ボールチェーン２２ｄとしては、一般的に良く知られている金属製や樹脂製のボールチェーンを使用することができるのはもちろんのこと、それ以外の形状を有する長尺状の部材も使用することができる。即ち、一対の挟持片が閉状態のときの係止孔Ｈ１よりも大きい外径を有する複数の凸部（球、円柱や四角柱などの立体状の凸部材）と、隣接する２つの凸部間に配置され凸部よりも小さい外径を有する凹部（複数の凸部が取り付けられる紐状部材の一部分や、２つの凸部間を連結する円柱状のリンクなどの凹部材）などから構成されるボールチェーン状部材も使用することができる。
【００７２】
また、上述のボールチェーン状部材の他にも、挟持片が閉状態のときの係止孔よりも大きい外径を有する紐状部材であって、外周からの外力により縮径可能な紐状部材を使用することもできる。
【００７３】
図６は、上述の第１物品懸吊部材２０が棚部材４に装着された一態様を示す説明図である。
【００７４】
図示の例では、４つの第１物品懸吊部材２０Ａ〜２０Ｄの係止部材２１が棚部材４における４カ所の第１装着部４１に装着され、そのうちの３つの第１物品懸吊部材２０Ａ〜２０Ｃでは、それぞれのボールチェーン２２ｄがそれぞれの係止部材２１で係止され、それぞれのフック部材２２で小型景品（小型の「くまのぬいぐるみ」）Ｇ１を懸吊しており、他方、残りの１つの第１物品懸吊部材２０Ｄでは、遊技者により操作された係止解除部材６などにより係止部材２１によるボールチェーン２２ｄの係止が解除され、フック部材２２に懸吊されていた小型景品（小型の「くまのぬいぐるみ」）Ｇ１が落下した様子を示している。
【００７５】
以上のように、上記第１物品懸吊部材２０では、物品吊るし部材であるボールチェーン２２ｄを係止する係止孔Ｈ１のサイズが、付勢部材２１ｃの付勢力により維持されるように構成されているため、長期間の使用の間における係止孔Ｈ１における係止力の低下をより小さくすることが可能であり、長期間に渡って交換することなく使用することが可能な物品懸吊部材を提供することが可能である。また、想定以上の長期間に渡り使用をしたことで係止力が低下した場合であっても、第１物品懸吊部材２０全てを交換するのではなく付勢部材２１ｃを新しいものに交換することで、新品と同程度の係止力を取り戻すことができる。このため運用に係るコストを最小限に抑えることが可能となる。
【００７６】
また、上記第１物品懸吊部材２０では、鉤状のフック部２２ｂを有するために、金属製のリングＲ、リング状にされたボールチェーンや紐などを取り付けられた景品、或いは、孔Ｈが形成された箱等に包装された景品等を簡単に懸吊することが可能である。
【００７７】
また、アイキャッチなどを考慮して好ましいと考えられる方向に景品を向けて吊り下げた状態で、ボールチェーン２２ｄを傾斜させて傾斜保持部材２１６において保持することにより、或いは更に、ボールチェーン２２ｄをチェーン溝４１ｅに収容することにより、景品の上記方向を固定することが可能であり、係止解除部材６が景品に当接する程度では、景品の方向が変わってしまわないようにすることも可能である。また、上記のようにボールチェーン２２ｄの上端側を傾斜した状態で保持し、或いは更に、チェーン溝４１ｅに収容することにより、上方の棚部材４から落下した景品が下方の棚部材４のボールチェーン２２ｄに引っ掛かって払い出されないなどの不都合を防止するとの効果も達成することができる。
【００７８】
また、上記第１物品懸吊部材２０では、係止部材２１はその係合片２１４や係合爪２１５等によって棚部材４に装着された状態にあり、フック部材２２は連索部材２３により係止部材２１と連索されている。従って、係止解除部材６の操作等によって景品が落下した場合でも、係止部材２１及びフック部材２２が景品とともに落下、散乱等することが防止され、従って、繰り返し再利用可能な第１物品懸吊部材２０を提供することが可能である。
【００７９】
そして、第１物品懸吊部材２０が繰り返し再利用可能であるが故に、従来の使い捨て要素の高かったフック部２０２と比べて、フック部の長さを長くしたり、フック部の径を太くして耐久性を上げるなどにより高級で係止が外れ難いフック部２２ｂを設けることが可能であり、景品がフック部２２ｂから外れて落下しないようにするために従来必要であった景品をフック部２２ｂに接着テープ（ＡＴ）で留める作業を不要とすることが可能である。
【００８０】
なお、上記では、フック部材２２に複数のボールと、ボール同士を連結するボールよりも外形の小さいリンク部材により構成されるボールチェーン２２ｄが取り付けられている場合を例として示したが、これに替えて、挟持片２１ａ、２１ｂが閉状態のときの係止孔Ｈ１よりも大きい外径を有する紐状部材であって、外周からの外力により縮径可能な樹脂繊維等の材料で形成された紐状部材を使用することも可能である。
【００８１】
図７は、第２物品懸吊部材３０の構成を示す説明図であり、図７（ａ）〜（ｃ）には、それぞれ、第２物品懸吊部材３０を上方から見た斜視図が示されており、特に、図７（ａ）には、後述の懸吊部材３４が棚部材４の支持孔４２ｂに挿通され支持されている状態が示されており、図７（ｂ）には、図７（ａ）の構成の一部が切り欠いた状態が示されており、図７（ｃ）には、懸吊部材３４が支持孔４２ｂによる支持が解除されて当該支持孔４２ｂから抜け落ちた状態が示されている。
【００８２】
図示されるように、第２物品懸吊部材３０は、第２装着部４２の嵌装孔４２ａに着脱自在に装着される係合爪３１ａと、棚部材４の収容空間４１ｄに収容嵌合される嵌合片３１ｂとが形成され、棚部材４の裏面側で固定される本体部３１と、その本体部３１の前方側に着脱自在に取り付けられて後述の駆動部材３５を挟持する係止部材３２と、本体部３１の後方側で一端が所定角度範囲内で回転可能に支持され、駆動部材３５の作用により後述の懸吊部材３４を前方側に牽引する略Ｌ字状の棒牽引部材３３と、その棒牽引部材３３のＬ字の角部分において一端が所定範囲内で回動可能に支持されるとともに、解放端が棚部材４の支持孔４２ｂにおいて挿通支持される棒状又は板状の懸吊部材３４と、係止解除部材６などにより所定量以上の力が加わった場合に上記棒牽引部材３３を駆動して懸吊部材３４を前方側に牽引する駆動部材３５とを主体に構成される。
【００８３】
ここで、本体部３１は、左右一対の筐体片３１１、筐体片３１２を主体に構成される。そして、この本体部３１には、左右一対の筐体片３１１、筐体片３１２を組み立てた場合の前方側に、上述の第１装着部４１における規制溝４１ａ、嵌装孔４１ｂ、係合片４１ｃ、収容空間４１ｄと同様の構成を有する装着部３１３が形成されるとともに、その後方側には、棒牽引部材３３を回動可能に支持する回動軸Ｓ１が一体的に形成され、更に、その内部には、後述の駆動部材３５の紐状部材３５ａを案内支持する円弧状の案内面３１４｛図７（ｂ）参照｝が形成されている。
【００８４】
係止部材３２は、上述の第１物品懸吊部材２０における係止部材２１と同一の構成を有するものであり、本体部３１前方の装着部３１３に装着固定されるとともに、係止部材３２を構成する開閉自在の一対の挟持片の間に所定サイズの係止孔が形成され、当該係止孔において紐状部材３５ａを係止するものである。
【００８５】
棒牽引部材３３は、略Ｌ字状の形態を成す部材であり、この棒牽引部材３３には、前方側に、後述の駆動部材３５の紐状部材３５ａが余裕をもって挿通することができる一方で、後述のトリガ部材３５ｃの挿通を禁止する程度の径を有する挿通孔Ｈ２と、後述の懸吊部材３４の回動軸Ｓ２を軸支する軸支孔Ｈ３と、回動軸Ｓ１が軸通される軸通孔Ｈ４とが形成されている。
【００８６】
懸吊部材３４は、棒状の形態を成す部材であり、この懸吊部材３４には、一端に、軸支孔Ｈ３により軸支される回動軸Ｓ２が一体的に形成されており、他端が、棚部材４の支持孔４２ｂに挿通される解放端となっている。
【００８７】
駆動部材３５は、遊技者により操作される係止解除部材６によって駆動される部材であり、長尺状の紐状部材３５ａと、その紐状部材３５ａの一端側に取り付けられた円盤状のターゲット部材３５ｂと、紐状部材３５ａの他端側に取り付けられた上向き矢印状のトリガ部材３５ｃとを主体に構成されている。そして、上記紐状部材３５ａは、その一端側を上記係止部材３２に形成された係止孔に挿通させた状態で係止され、中央部を案内面３１４上に差し渡され、他端側を挿通孔Ｈ２に挿通させた状態とされている。
【００８８】
なお、本体部３１、棒牽引部材３３、懸吊部材３４及び駆動部材３５（ターゲット部材３５ｂ及びトリガ部材３５ｃ）は、例えば、合成樹脂などで成型することができる。また、本実施形態における紐状部材３５ａには、係止部材３２の挟持片が閉状態のとき（図５（ｃ）参照）の係止孔のサイズより大きい外径寸法を有し、外周からの外力が作用することでその外形寸法を縮小する樹脂繊維等の適宜の材料で形成された紐状の部材が使用されている。
【００８９】
従って、ターゲット部材３５ｂに下方向への牽引力が作用しない場合には、紐状部材３５ａを係止部材３２の係止孔で締め付ける態様で係止し、ターゲット部材３５ｂに下方向への牽引力が作用した場合には、係止孔よりも大きい外径の紐状部材３５ａが係止孔を通過しようとするために、係止部材３２を構成する１対の挟持片が離間して係止孔のサイズが大きくなり（図５（ｄ）参照）、紐状部材３５ａを下方に引き抜いていくことが可能である。
【００９０】
上記第２物品懸吊部材３０では、係止解除部材６の操作によりターゲット部材３５ｂが下方に牽引されると、紐状部材３５ａが上記態様で係止部材３２から引き抜かれ、他端側のトリガ部材３５ｃが上昇していくことになる。
【００９１】
そして、トリガ部材３５ｃが棒牽引部材３３の挿通孔Ｈ２に当接して更に上昇した場合には、棒牽引部材３３は回動軸Ｓ１の周りに回転して懸吊部材３４を前方側に駆動し、やがて懸吊部材３４が支持孔４２ｂから抜けると、懸吊部材３４は支持孔４２ｂによる支持を失って回動軸Ｓ２の周りに下方に向けて落下する。
【００９２】
なお、上記実施形態における駆動部材３５においては、ターゲット部材３５ｂとトリガ部材３５ｃを連索する部材として、樹脂繊維等で構成される長尺状の紐状部材３５ａを使用する場合について説明したが、これ以外にも、一般的に良く知られている金属製や樹脂製のボールチェーンを使用することもできる。また、それらボールチェーン以外の形状を有する長尺状の部材も使用することができる。即ち、一対の挟持片が閉状態のときの係止孔Ｈ１よりも大きい外径を有する複数の凸部（球、円柱や四角柱などの立体状の凸部材）と、隣接する２つの凸部間に配置され凸部よりも小さい外径を有する凹部（複数の凸部が取り付けられる紐状部材の一部分や、２つの凸部間を連結する円柱状のリンクなどの凹部材）などから構成されるボールチェーン状部材も使用することができる。
【００９３】
図８は、上述の第２物品懸吊部材３０の棚部材４における装着態様及び動作態様を示す説明図である。
【００９４】
図８（ａ）の例では、１つの第２物品懸吊部材３０の本体部３１及び懸吊部材３４が棚部材４の第２装着部４２に装着され、懸吊部材３４で中型景品（中型の人形等が入った箱）Ｇ２を懸吊しており、図８（ｂ）の例では、上記図８（ａ）の状態から、遊技者により操作された係止解除部材６などによって、駆動部材３５のターゲット部材３５ｂが下方に牽引されて棒牽引部材３３が前方に駆動され、これにより、懸吊部材３４が棚部材４の支持孔４２ｂから抜け落ちて中型景品Ｇ２が落下した様子を示している。
【００９５】
上記第２物品懸吊部材３０では、係止解除部材６による牽引の対象となる紐状部材３５ａ（及びターゲット部材３５ｂ）を係止する係止部材３２と、物品を懸吊する懸吊部材３４とがそれぞれ別個の部材とされている。従って、係止部材３２の係止力の大小とは無関係に懸吊部材３４における懸吊可能な景品の重量を自由に設定することが可能であり、それ故に、第２物品懸吊部材３０では第１物品懸吊部材２０に懸吊出来ない重量の大きい景品を懸吊することが可能である。また、係止部材３２と懸吊部材３４が別部材であるために、係止部材３２及びこれに係止される紐状部材３５ａ（及びターゲット部材３５ｂ）を係止解除部材６のフォーク部材６１が接触可能な位置（ガイドレール７２やガイドポール８１から近い位置）に配置する一方で、懸吊部材３４（及び景品）を係止解除部材６のフォーク部材６１が接触できない位置（ガイドレール７２やガイドポール８１から遠い位置）に配置することが可能である。それ故に、第２物品懸吊部材３０では第１物品懸吊部材２０に懸吊できない程度にサイズの大きい景品を懸吊することが可能である。
【００９６】
加えて、第２物品懸吊部材３０は、第１物品懸吊部材２０の係止部材２１と同構成の係止部材３２により紐状部材３５ａを係止する構成であるため、第２物品懸吊部材３０における紐状部材３５ａの係止解除のための操作の態様、難易度、及び／又は、ゲーム性を第１物品懸吊部材２０におけるボールチェーン２２ｄの係止解除のためのそれと同様のものとすることが可能である。
【００９７】
なお、本実施形態では、挟持片が閉状態のときの係止孔よりも大きい外径を有し、外周からの外力により縮径可能な紐状部材３５ａが使用される場合を例として示したが、これに替えて、第１物品懸吊部材２０におけるボールチェーン２２ｄと同様のボールチェーンを使用することも可能である。
【００９８】
図１に戻って、本実施形態の係止解除部材６は、遊技者による上昇ボタン９ａ及び横走行ボタン９ｂの操作に応じて操作面（図１におけるＸＹ面）で移動する部材であり、棚部材４に装着された第１物品懸吊部材２０、第２物品懸吊部材３０にそれぞれ懸吊されている小型景品Ｇ１、中型景品Ｇ２の係止を解除して小型景品Ｇ１、中型景品Ｇ２を落下させるために用いられる部材である。なお、本実施形態の係止解除部材６は、例えば、特許文献１（特許第３６７５５６６号公報）に開示される公知の係止解除部材（５）や係止解除部材（１２０）などと同様の構成とすることができるが、本実施形態では、上記係止解除部材（５）と同様の構成を採用した場合について説明する。
【００９９】
図９は、本実施形態の係止解除部材６の構成を示す説明図であり、図９（ａ）が、係止解除部材６の駆動機構の斜視を示す説明図であり、図９（ｂ）が、上記駆動機構の一部を省略した要部側面を示す説明図である。
【０１００】
即ち、この係止解除部材６では、上記操作面で移動する本体部（ケース）６０と、その本体部６０に設けられて該本体部６０の前方側から突出可能で前後方向（図１におけるＺ方向）に伸縮自在の部材であり、第１物品懸吊部材２０のボールチェーン２２ｄ及びフック部材２２、或いは、第２物品懸吊部材３０の紐状部材３５ａ及びターゲット部材３５ｂと係合することによりそれらを下方向に牽引するための楔状の切り込み６１ａが先端に形成されたフォーク部材６１とを主体に構成されている。
【０１０１】
そして、この係止解除部材６では、後述の係止解除部材制御部８３（８３Ａ、８３Ｂ）で制御されるソレノイド８３３ａの駆動によって、ワイヤーＷＲが上下方向（Ｙ方向）に駆動することにより、スプリングＳＰにより付勢されるプーリーＰの前後方向（Ｚ方向）の移動に伴う揺動バー６２の揺動により、上記ワイヤーＷＲの駆動方向に応じてフォーク部材６１が前後方向（Ｚ方向）における前方向又は後方向に移動する。
【０１０２】
また、この係止解除部材６では、後述の係止解除部材制御部８３（８３Ａ、８３Ｂ）で制御される水平移動用モータ８３２ａ（図９に不図示）の回動によって、ネジ棒７１ａ及びネジ棒７１ｂが回動することにより、ガイドレール７２ａ、ガイドレール７２ｂにそれぞれ案内されるスライダー７３ａ、スライダー７３ｂ及びガイドポール８１とともに本体部６０が上記回動方向に応じて左右方向（Ｘ方向）における左方向又は右方向に移動する。
【０１０３】
また、この係止解除部材６では、係止解除部材制御部８３（８３Ａ、８３Ｂ）で制御される鉛直移動用モータ８３１ａの回動によって、ネジ棒８２が回動することにより、ガイドポール８１に案内されるスライダー８３とともに本体部６０が上記回動方向に応じて上下方向（Ｙ方向）における上方向又は下方向に移動する。
【０１０４】
なお、この係止解除部材６は、ゲーム開始前における本体部６０のホームポジションが決められており、左側の係止解除部材６では、左下方の隅が本体部６０のホームポジションとされ、右側の係止解除部材６では、右下方の隅が本体部６０のホームポジションとされている。
【０１０５】
そして、本実施形態では、遊技者などによって硬貨投入口１０に所定のゲーム料金が投入された場合などのゲーム開始条件が成立した場合に、遊技者などによる上昇ボタン９ａの操作及び上昇ボタン９ａの操作後の横走行ボタン９ｂの操作を受け付ける態様となっており、本実施形態の係止解除部材６では、上記ゲーム開始条件が成立した場合に遊技者により上昇ボタン９ａが押下され続けている間だけ本体部６０が上昇し、上昇ボタン９ａの押下が解除された場合に本体部６０の上昇が停止し、続いて、遊技者により横走行ボタン９ｂが押下され続けている間だけ本体部６０が横方向（左又は右）に走行し、横走行ボタン９ｂの押下が解除された場合に本体部６０の横走行が停止する。その後、本体部６０の横走行が停止した場合に、フォーク部材６１が前方向に所定長だけ自動的に伸長し、所定長の伸長が完了した場合に、フォーク部材６１が伸長した状態のまま本体部６０が所定ストロークだけ自動的に下降する。その後、所定ストロークの下降が完了した場合に、フォーク部材６１が元の位置に戻され、その後、本体部６０が上述のホームポジションに戻される。
【０１０６】
なお、本実施形態の係止解除部材６では、フォーク部材６１を駆動する駆動手段としてソレノイド８３３ａを使用する形態について説明したが、これ以外にも、例えば、フォーク部材６１を駆動する駆動手段として、上記ソレノイドに替えてモータを使用することもできる。
【０１０７】
図１０は、景品取得ゲーム機１におけるシステム構成を示す説明図である。
【０１０８】
図示されるように、本実施形態では、主制御基板８０に、Ｉ／Ｆ８０ｄ及び信号線を介して設定受付部８１、操作受付部８２（８２Ａ、８２Ｂ）、係止解除部材制御部８３（８３Ａ、８３Ｂ）、照明・音響制御部８４、硬貨処理部８５などが電気的に接続されている。
【０１０９】
ここで、主制御基板８０は、景品取得ゲーム機１全体を統括的に制御する部分であり、ＣＰＵ８０ａと、周辺装置を制御するための各種プログラム及びデータが格納されるＲＯＭ８０ｂと、演算用の作業データなどを一時記憶するＲＡＭ８０ｃと、ＣＰＵ８０ａと周辺装置との間における各種信号の授受を行うためのＩ／Ｆ８０ｄと、それらを相互に接続するためのバス８０ｅとから構成されている。
【０１１０】
設定受付部８１は、設定パネルにおいて設定された各設定値を主制御基板８０に伝達するためのインターフェイスである。即ち、上記設定値に基づいて、主制御基板８０の制御のもと係止解除部材６の前後方向（Ｚ方向）における到達位置や戻り位置、自動下降距離などの調節が行われる。
【０１１１】
操作受付部８２Ａ、８２Ｂは、操作パネル９の上昇ボタン９ａ、横走行ボタン９ｂからの信号を主制御基板８０に伝達するためのインターフェイスであり、上昇ボタン９ａへの操作が検知された場合には、係止解除部材６を基準位置から上方に駆動すべき旨の信号を主制御基板８０に送信し、当該上昇ボタン９ａへの操作が解除された場合には、係止解除部材６の上方への駆動を停止するべき旨の信号を主制御基板８０に送信し、他方、横走行ボタン９ｂへの操作が検知された場合には、係止解除部材６を横方向に走行させるべき旨の信号を主制御基板８０に送信し、当該横方向ボタン９ｂへの操作が解除された場合には、係止解除部材６の横方向への走行を停止するべき旨の信号を主制御基板８０に送信する。
【０１１２】
係止解除部材制御部８３Ａ、８３Ｂは、主制御基板８０からの制御信号に従って、係止解除部材６の制御を実行するものである。即ち、主制御基板８０から係止解除部材６の上昇動作を指示する信号を受信した場合には、モータドライバ８３１は、鉛直移動用モータ８３１ａの駆動制御を行うことにより、係止解除部材６に上昇動作を実行させる。また、主制御基板８０から係止解除部材６の横方向への走行を指示する信号を受信した場合には、モータドライバ８３２は、水平移動用モータ８３２ａの駆動制御を行うことにより、係止解除部材６を横方向へ走行させる処理を実行する。
【０１１３】
硬貨処理部８５は、硬貨投入口１０に投入された硬貨の識別処理を実行し、予め定められた額の正当な硬貨の投入を検知した場合に、硬貨検知信号を主制御基板８０に送信する処理を実行し、照明・音響制御部８４は、主制御基板８０からの制御信号に従って、ゲームの進行状況等に応じた演出照明や効果音を出力するべく、照明装置８、スピーカ１２等の制御を実行する。
【０１１４】
図１１は、景品取得ゲーム機１において実行される処理の流れを示す説明図である。
【０１１５】
図示されるように、まず、ステップＳ１において、遊技者により所定のゲーム料金が硬貨投入口１０に投入されると、ゲーム開始可能な状態に遷移し（ステップＳ１：ＹＥＳ）、続いて、ステップＳ２において、遊技者により上昇ボタン９ａが押下されると（ステップ２：ＹＥＳ）、押下されている間中、鉛直移動用モータ８３１ａの駆動により係止解除部材６が上昇し（ステップＳ３）、続いて、ステップＳ４において、遊技者により上昇ボタン９ａの押下が解除されると（ステップＳ４：ＹＥＳ）、係止解除部材６の上昇が停止する。
【０１１６】
続いて、ステップＳ５において、遊技者により横走行ボタン９ｂが押下されると（ステップＳ５：ＹＥＳ）、押下されている間中、水平移動用モータ８３２ａの駆動により係止解除部材６が横（右など）に走行し（ステップＳ６）、ステップＳ７において、遊技者により横走行ボタン９ｂの押下が解除されると（ステップＳ７：ＹＥＳ）、係止解除部材６の横走行が停止する。
【０１１７】
こうして遊技者による操作で移動した係止解除部材６が停止すると、ステップＳ８において、自動的にソレノイド８３３ａを駆動してフォーク部材６１を伸長し、続いて、ステップＳ９において、設定されている降下量だけ係止解除部材６とともにフォーク部材６１を下降する。
【０１１８】
その後、ステップＳ１０において、フォーク部材６１を収縮し、続いて、ステップＳ１１において、鉛直移動用モータ８３１ａ、水平移動用モータ８３２ａを駆動して係止解除部材６を所定のホームポジションに帰還させ、その後、処理をステップＳ１に復帰させる。
【０１１９】
なお、上記実施形態では、１つの棚部材４には、第１物品懸吊部材２０或いは第２物品懸吊部材３０のいずれか一種類のみを装着する形態について説明したが、これ以外にも、例えば、図１２に示すように、一つの棚部材４に、第１物品懸吊部材２０及び第２物品懸吊部材３０の両者を装着するような形態で使用することも可能である。
【０１２０】
ただし、この場合には、第１物品懸吊部材２０におけるフック部材２２やボールチェーン２２ｄと、第２物品懸吊部材３０における紐状部材３５ａやターゲット部材３５ｂとがフォーク部材６１の伸長方向（図１のＺ方向）で重ならないような配置で上記第１物品懸吊部材２０及び第２物品懸吊部材３０の両者を取り付けることが好ましい。
【０１２１】
また、上記実施形態では、ボールチェーンや紐などの環状部材で本体部分（ぬいぐるみや人形の部分）が懸吊される小型景品Ｇ１を第１物品懸吊部材２０で懸吊する場合、上記環状部材をフック部２２ｂに引っ掛ける態様で小型景品Ｇ１を懸吊する形態（図６参照）について説明したが、この形態では、上記環状部材が長い場合に、フック部材２２と小型景品Ｇ１の本体部分の間に無駄なスペースＬ１（図６参照）が生じてしまい、上下方向Ｙにおける棚部材４の取付数が少なくなってしまうなどの不都合が生じる。
【０１２２】
そこで、上述のような不都合を解消するためのフック部材２２の構成及び当該フック部材２２に対する小型景品Ｇ１の特殊取付の態様について図１３を用いて説明する。
【０１２３】
図１３（ａ）は、上述のフック部材２２の側面視を示す説明図であり、図１３（ｂ）は、上述のフック部材２２の背面を上方から見た斜視を示す説明図であり、図１３（ｃ）〜（ｅ）は、フック部材２２に対する小型景品Ｇ１の特殊取付の一態様、及び、当該小型景品Ｇ１の係止解除の一態様を示す説明図である。
【０１２４】
上述の図４に示したフック部材２２は、図１３（ａ）、（ｂ）などに良く示されているように、当該フック部材２２の底部に、小型景品Ｇ１の本体部分（ぬいぐるみや人形の部分）を懸吊するボールチェーンＢＣや紐などの環状部材を係合する浅めの溝が形成された係合溝２０１を備えるとともに、その係合溝２０１に係合された上記環状部材を本体壁部２２ａの背面側から正面側に案内係合する案内係合面２０２とを更に備えている。これにより、図１３（ｃ）に示される態様で小型景品Ｇ１がフック部材２２に懸吊される。なお、図１３（ｃ）の懸吊態様においては、ボールチェーンＢＣを係合溝２０１と案内係合面２０２に係合させる際に、本体壁部２２ａの背面側に配置される中央板部材２０３の左右いずれか一方の側においてボールチェーンＢＣと案内係合面２０２の間に連索部材２３が配置される態様で係合させる。これにより、連索部材２３が小型景品Ｇ１の落下を妨げずに済む。
【０１２５】
そして、上記図１３（ｃ）の状態で、遊技者により移動操作される係止解除部材６の下降動作により係止部材２１によるボールチェーン２２ｄの係止が解除された場合には、上記図１３（ａ）の態様で懸吊された小型景品Ｇ１の重量によってフック部材２２が連索部材２３との連結部分を軸として、円盤部２２ｃが前方下方に倒れるように回転し、円盤部２２ｃが下方に配置され、底部が上方に配置される態様となることによって、まず、図１３（ｄ）に示されるように、係合溝２０１とボールチェーンＢＣの係合が解除され、続いて、図１３（ｅ）に示されるように、案内係合面２０２とボールチェーンＢＣの係合が解除されてボールチェーンＢＣのリング内からフック部材２２に設けられたボールチェーン２２ｄが抜けて小型景品Ｇ１が落下する。
【０１２６】
即ち、上記形態によれば、割りと長めのボールチェーンや紐などの環状部材で懸吊される小型景品Ｇ１を第１物品懸吊部材２０で懸吊する場合においても、環状部材をフック部材２２の背面側に回し込むことによって、フック部材２２と小型景品Ｇ１の本体部分（むいぐるみや人形の部分）との間のスペースを少なくすることができ、これにより、上下方向Ｙにおける棚部材４の取付数を増加させることができる。
【０１２７】
以下、上記実施形態の各種変形形態について説明する。
【０１２８】
上記実施形態の第１物品懸吊部材２０では、ボールチェーン２２ｄを傾斜保持部材２１６で傾斜状態に保持することで、フック部２２ｂに懸吊された小型景品Ｇ１の回転を抑止す場合について説明したが、この実施形態では、景品を適切と思う方向に向けて懸吊した状態を保ったまま、ボールチェーン２２ｄを傾斜させてこれを傾斜保持部材２１６によって保持する作業が必要であるが、ボールチェーン２２ｄを傾斜させ、或いは、これを傾斜保持部材２１６によって保持している途中で景品の向きが変わってしまう場合もあり、人によってはこの作業を面倒と感じる場合もある。
【０１２９】
そこで、上記の作業を一層容易化するために、第１物品懸吊部材２０の変形形態である第１物品懸吊部材２０Ａを替わりに利用することもできる。
【０１３０】
図１４（ａ）は、当該第１物品懸吊部材２０Ａの側面視を示す説明図である。
【０１３１】
図示されるように、この第１物品懸吊部材２０Ａでは、上述の係止部材２１と同一構成の係止部材２１と、上述のフック部材２２に、ボールチェーン２２ｄの一端を回動自在に支持する第１支持部材２２ｅと、後述の連索部材２３Ａの一端に一体的に形成された筒状の回動部材２３ａを螺子状の回動軸Ｓ３を介して回動自在に支持する第２支持部材２２ｆとを新たに追加したフック部材２２Ａと、上記回動部材２３ａが一端側に一体的に形成されるとともに、他端側が上記係止部材２１Ａの係合片２１４に固定される連索部材２３Ａとから構成される。
【０１３２】
即ち、この変形形態の第１物品懸吊部材２０Ａを採用すれば、小型景品Ｇ１を係止部材２１から吊り下げた状態のまま、或いは、更に傾斜保持部材２１６でボールチェーン２２ｄを傾斜保持した状態のまま小型景品Ｇ１の方向を調節することができ、アイキャッチの良い方向で景品を懸吊するための作業を極めて簡単に行うことが可能になる。
【０１３３】
なお、本変形形態に係る第１物品懸吊部材２０Ａにおいては、螺子状の回動軸Ｓ３の締め具合を調節することにより、回動部材２３ａの回動をし易くしたり、逆に回動しづらくすることが可能である。従って、回動部材２３ａの回動をある程度渋くすることにより、小型景品Ｇ１を正面に向けるようにフック部２２ｂを回動させた後に、係止解除部材６との接触等で何らかの力が働いた場合にフック部２２ｂが回転して小型景品Ｇ１が横を向いてしまうなどを防止することが可能である。
【０１３４】
また、上記変形形態以外にも、上述の第１物品懸吊部材２０において、フック部材２２に固定されていたボールチェーン２２ｄの一端を、当該ボールチェーン２２ｄが軸回転できるように取り付ける形態としても良いし、また、上記回動にある程度の負荷を必要とするような形態としても良い。このような構成によれば、上述した変形形態と同様の効果を達成できる。
【０１３５】
また、第２物品懸吊部材３０においても、中型景品Ｇ２の態様に関係無く、中型景品Ｇ２を簡単に正面に向けることが可能な機構を追加的に備えることも可能である。このような構成によれば、第２物品懸吊部材３０においても、上述した変形形態と同様の効果を達成できる。
【０１３６】
また、上記実施形態の第１物品懸吊部材２０におけるフック部材２２では、ジョイントやコネクタなどと呼ばれる連結部材によりリング状にされたボールチェーンで吊り下げられる態様の小型景品Ｇ１を懸吊した場合に、当該リングチェーンの連結部材の部分で小型景品Ｇ１をフック部２２ｂに係合すると、連結部材の幅よりフック部材の幅が狭いなどの理由から連結部材におけるボールの連結が解除され、それにより、小型景品Ｇ１が落下してしまうなどの不都合が発生する可能性がある。
【０１３７】
そこで、上述のような不都合を解消するために、第１物品懸吊部材２０のフック部材２２の変形形態であるフック部材２２Ｂを替わりに利用することもできる。
【０１３８】
図１４（ｂ）は、当該フック部材２２Ｂの上方斜視を示す説明図である。
【０１３９】
図示されるように、このフック部材２２Ｂは、上述のフック部材２２に、小型景品Ｇ１のボールチェーンが連結部材の部分で係合した場合の当該連結部材における連結解除を阻止するための台座２２ｇを新たに追加した構成となっており、その他の構成は、フック部材２２と同様なものである。より具体的には、台座２２ｇは、連結部材の幅と同じか或いはそれ以上の幅Ｗを有する態様で形成されている。
【０１４０】
即ち、この変形形態のフック部材２２Ｂを採用すれば、連結部材におけるボールの連結が解除されることを未然に防ぐことができるので、従来のように、連結部材におけるボールの連結が解除されて景品払出口１１に落下した小型景品Ｇ１が遊技をしない遊技者などの第三者に持っていかれることによる施設側の損失を防ぐことが可能となるとともに、上述のような連結部材の解除により小型景品Ｇ１が景品払出口１１に落下しているか否かなどのスタッフによる確認作業を無くすことができるので、スタッフの負担を軽減することも可能である。
【０１４１】
また、上記図４及び図１４に示した実施形態に係るフック部材２２、２２Ａ、２２Ｂでは、小型景品Ｇ１に取り付けられたボールチェーン、リング、紐等、或いは、包装台紙などに形成された孔などをフック部材２２に係合させる態様で小型景品Ｇ１を懸吊する形態が一般的である場合について説明したが、この形態では、例えば、径の大きいリングが取り付けられた小型景品Ｇ１を懸吊させる場合には、径の大きいリングをフック部２２ｂに引っ掛けるとリングの大部分（例えば、約３／４）が下方に露出してしまい、フック部２２ｂ或いは台座２２ｇを軸に前後に揺動し易くなって安定しないなどの不都合が生じる。また、上述のようにリングの大部分が露出することで、その露出した部分を遊技者によりターゲットとして直接狙われてしまうことにより景品取得ゲーム機の設置者、運営者の意図を越えて景品取得が容易になるなどの不都合を生じる。
【０１４２】
そこで、上述のような不都合を解消するために、上記フック部材２２、２２Ａ及び２２Ｂの変形形態であるフック部材２２Ｃを替わりに利用することもできる。
【０１４３】
図１５（ａ）は、当該フック部材２２Ｃの上方斜視を示す説明図である。
【０１４４】
図示されるように、このフック部材２２Ｃは、上述のフック部材２２Ｂに、小型景品Ｇ１のリングＲの大部分を本体壁部２２ａの前方面に当接させる態様で係合する先端が鉤状に折り曲げられた形状の係合突起部２２ｈを新たに追加した構成となっており、その他の構成は、フック部材２２Ｂと同様なものである。
【０１４５】
即ち、この変形形態のフック部材２２Ｃを採用すれば、例えば、径の大きいリングＲが取り付けられた小型景品Ｇ１を懸吊させる場合において、リングＲを係合突起部２２ｈに係合させる態様で小型景品Ｇ１を懸吊させることにより、リングＲの大部分（例えば、約３／４）が本体壁部２２ａの前方面に当接し、リングＲが前後方向に揺動し難くなるため、小型景品Ｇ１の安定性を高めることができる。また、フック部２２ｂより下方に露出するリングＲの露出部分が少なくなることで、遊技者により上記露出部分をターゲットとして狙われることを防ぐことができるため、景品取得ゲーム機の設置者、運営者の意図を越えて景品取得が容易になってしまうなどの不都合を未然に防ぐことができる。
【０１４６】
なお、上述したフック部材２２Ｃによれば、ボールチェーン、紐などが取り付けられた小型景品Ｇ１を懸吊させる場合においても、上述したのと同様の効果を得ることができる。
【０１４７】
また、上述した種々のフック部材２２、２２Ａ、２２Ｂ及び２２Ｃ以外にも、例えば、上述の本体壁部２２ａ及びフック部２２ｂ及び円盤部２２ｃなどの部材を必要最低限備え、各フック部材２２、２２Ａ、２２Ｂ及び２２Ｃにおける種々の構成要素のいずれかを組み合わせた態様のフック部材を利用することも可能である。
【０１４８】
また、上記実施形態の第２物品懸吊部材３０では、係止解除部材６により駆動部材３５が牽引された場合に、棒牽引部材３３が回動軸Ｓ１の周りに回動することにより懸吊部材３４が前方側に牽引されて支持孔４２ｂから抜け落ちる形態について説明したが、これ以外にも、例えば、図１６に示す他の変形形態に係る第２物品懸吊部材３０Ａ、３０Ｂを採用することも可能である。
【０１４９】
図１６（ａ）に示される第２物品懸吊部材３０Ａは、例えば、上述の第２物品懸吊部材３０における棒牽引部材３３が省略され、上述の駆動部材３５におけるトリガ部材３５ｃを省略し、紐状部材３５ａの替わりにボールチェーン３５ａ′が設けられ、そのボールチェーン３５ａ'の一端側が係止部材３２により係止され、他端側にターゲット部材３５ｂが懸吊され、且つ、上記他端にロープ部材３６の一端が取り付けられた駆動部材３５Ａと、上記ロープ部材３６の他端に取り付けられ、所定の回動軸Ｓ４で回動自在に支持されるとともに、一端が棚部材４の背面板４６に形成された支持部材４８で回動自在に支持される懸吊部材３４Ａの解放端に形成された係合片３４ａを係合片３７ａで支持する係合解除部材３７とを新たに備えるとともに、ターゲット部材３５ｂが落下した際にロープ部材３６によって係合解除部材３７が前方側に牽引される方向にロープ部材３６を案内する案内ローラーＲ１を更に設けた態様となっている。
【０１５０】
即ち、この構成では、遊技者により操作される係止解除部材６などによって係止部材３２におけるボールチェーン３５ａ'の係止が解除され、ターゲット部材３５ｂが落下したことにより係合解除部材３７が回動軸Ｓ４の周りで前方側に回動し、係合片３７ａと係合片３４ａの係合が解除されて懸吊部材３４Ａが支持部材４８における回動軸の周りで下方に回動することにより、当該懸吊部材３４Ａに懸吊されていた中型景品Ｇ２が落下することになる。
【０１５１】
また、図１６（ｂ）に示される第２物品懸吊部材３０Ｂは、例えば、上述の第２物品懸吊部材３０における棒牽引部材３３を省略するとともに、駆動部材３５のトリガ部材３５ｃを省略して替わりに紐状部材３５ａの他端を直接的に懸吊部材３４Ｂの一端に取り付けた態様となっており、更に、駆動部材３５のターゲット部材３５ｂがある程度下降できるように懸吊部材３４Ｂの長さを調節するとともに、懸吊部材３４Ｂに懸吊される中型景品Ｇ２の紐などの吊るし部材と当該懸吊部材３４Ｂとの係合を解除するための懸吊部材３４Ｂを挿通できる径の開口を有する解除部材４９を各支持孔４２ｂ毎に新たに備えるとともに、上記紐状部材３５ａを案内するための案内ローラーＲ２を更に設けた態様となっている。
【０１５２】
即ち、この構成では、遊技者により操作される係止解除部材６などによってターゲット部材３５ｂが下方に牽引されることにより懸吊部材３４Ｂが前方に牽引されて解除部材４７から抜け落ちたときに、当該懸吊部材３４Ｂに懸吊されている中型景品Ｇ２が落下する。
【０１５３】
また、上記実施形態では、棚部材４と別体の第２物品懸吊部材３０を当該棚部材４の裏面側に装着する形態について説明したが、これ以外にも、例えば、第１物品懸吊部材２０を装着する第１装着部４１を利用して上記第２物品懸吊部材と同様の機能を実現して中型景品Ｇ２を懸吊保持する懸吊機構を棚部材４に形成する形態とすることもできる。なお、この場合には、上記懸吊機構における連索部材などの可動部材の動作を遊技者が確認できるように棚部材４の全部又は一部（前方部分など）を透明又は半透明な部材で構成することが好ましい。このような構成によれば、シンプル且つ美しい外観の棚部材を提供することが可能である。
【０１５４】
以上、例示的な実施形態に基づいて本発明を説明したが、本発明は上記実施形態により限定されるものではなく、特許請求の範囲の記載内において種々の変更、改変を行うことが可能であり、例えば、上記実施形態における景品取得ゲーム機１、棚部材４、第１物品懸吊部材２０、第２物品懸吊部材３０等の形状、寸法、材質や色、景品取得ゲーム機１或いはその個々の部材の動作態様などは単なる例として記載したものであり、これらは特許請求の範囲の記載内において任意に変更することが可能である。
【図面の簡単な説明】
【０１５５】
【図１】本発明の一実施形態に係る景品取得ゲーム機の構成を示す説明図。
【図２】棚取付壁及びその棚取付壁に取り付けられる棚部材の構成を示す説明図。
【図３】棚部材の外観構成を示す説明図。
【図４】第１物品懸吊部材の構成を示す説明図。
【図５】係止部材の構成を示す説明図。
【図６】小型景品がフック部材に懸吊されている第１物品懸吊部材が棚部材に装着された一態様を示す説明図。
【図７】第２物品懸吊部材の外観構成及び一部切り欠きの構成を示す説明図。
【図８】中型景品が懸吊棒部材に懸吊されている第２物品懸吊部材が棚部材に装着された一態様を示す説明図。
【図９】本実施形態に係る係止解除部材の構成を示す説明図。
【図１０】景品取得ゲーム機におけるシステム構成を示す説明図。
【図１１】景品取得ゲーム機において実行される処理の流れを示す説明図。
【図１２】１つの棚部材に第１物品懸吊部材及び第２物品懸吊部材の両者を装着した様子を示す説明図。
【図１３】フック部材の詳細な構成及びそのフック部材に対する小型景品の特殊取付の態様を示す説明図。
【図１４】変形形態の第１物品懸吊部材及びフック部材の構成を示す説明図。
【図１５】変形形態のフック部材の構成を示す説明図。
【図１６】変形形態の第２物品懸吊部材の構成を示す説明図。
【図１７】従来の小型景品を懸吊する物品懸吊部材の構成を示す説明図。
【符号の説明】
【０１５６】
１・・・景品取得ゲーム機、２・・・ゲーム機本体部、３・・・景品室、４・・・棚部材、４１・・・第１装着部、４２・・・第２装着部、４３・・・係合片、５・・・棚取付壁、６・・・係止解除部材、７・・・景品落下口、８・・・照明装置、９・・・操作パネル、１０・・・硬貨投入口、１１・・・景品払出口、１２・・・スピーカ、１３・・・収容扉、２０、２０Ａ、２０Ｄ・・・第１物品懸吊部材、２１、２１Ａ・・・係止部材、２１ａ、２１ｂ・・・挟持片、２１６・・・傾斜保持部材、Ｈ１・・・係止孔、２１ｃ・・・付勢部材、２２、２２Ａ、２２Ｂ・・・フック部材、２２ａ・・・本体壁部、２２ｂ・・・フック部、２２ｃ・・・円盤部、２２ｄ・・・ボールチェーン、２２ｇ・・・台座、２３、２３Ａ・・・連索部材、３０、３０Ａ、３０Ｂ・・・第２物品懸吊部材、３１・・・本体部、３２・・・係止部材、３３・・・棒牽引部材、３４、３４Ａ、３４Ｂ・・・懸吊棒部材、３５、３５Ａ・・・駆動部材、３５ａ・・・紐状部材、３５ｂ・・・ターゲット部材、３５ｃ・・・トリガ部材
【図１】
2010042055.tif 000003
【図２】
2010042055.tif 000004
【図３】
2010042055.tif 000005
【図４】
2010042055.tif 000006
【図５】
2010042055.tif 000007
【図６】
2010042055.tif 000008
【図７】
2010042055.tif 000009
【図８】
2010042055.tif 000010
【図９】
2010042055.tif 000011
【図１０】
2010042055.tif 000012
【図１１】
2010042055.tif 000013
【図１２】
2010042055.tif 000014
【図１３】
2010042055.tif 000015
【図１４】
2010042055.tif 000016
【図１５】
2010042055.tif 000017
【図１６】
2010042055.tif 000018
【図１７】
2010042055.tif 000019